(57)【要約】      （修正有）【課題】剛性や振動減衰性等の機械特性を、部分的にコントロールしたラケットを提供する。【解決手段】フェース部１１、シャフト部１２、グリップ部１３から構成されるフレーム１０を有するラケット１において、打撃面の平面中心１４を囲むフェース部１１の少なくとも一部を、網目状や格子状等の離散的な立体構造を有する網目構造部１１１ａ、１１１ｂとし、該網目構造部１１１ａ、１１１ｂの機械特性を部分的にコントロールするようにした。【選択図】図１
2020074812.tif 000002
【特許請求の範囲】
【請求項１】
打撃面を囲むフェース部を備えるラケットであって、
前記フェース部の少なくとも一部は、立体的な網目構造で形成されている
ラケット。
【請求項２】
前記フェース部の内周面側に張設され、前記フェース部に前記網目構造によって形成された挿通孔に挿通されているストリングを備える
請求項１に記載のラケット。
【請求項３】
前記フェース部の前記打撃面を時計の文字板としてみた場合に、前記網目構造は、前記打撃面の平面中心に対して、前記フェース部の１１時方向から１時方向までの範囲に形成されている
請求項１、又は２に記載のラケット。
【請求項４】
前記フェース部の前記打撃面を時計の文字板としてみた場合に、前記網目構造は、前記打撃面の平面中心に対して、前記フェース部の５時方向から７時方向までの範囲に形成されている
請求項１乃至３の何れか１項に記載のラケット。
【請求項５】
前記フェース部の前記打撃面を時計の文字板としてみた場合に、前記網目構造は、前記打撃面の平面中心に対して、前記フェース部の２時方向から４時方向までの範囲、及び８時方向から１０時方向までの範囲に形成されている
請求項１乃至４の何れか１項に記載のラケット。
【請求項６】
前記網目構造は、前記フェース部の全体の体積に対して２０％以上となる体積で形成されている
請求項１乃至５の何れか１項に記載のラケット。
【請求項７】
前記網目構造は、前記フェース部の厚み方向の中心部に形成されている
請求項１乃至６の何れか１項に記載のラケット。
【請求項８】
前記フェース部に延設され、少なくとも一部が立体的な網目構造で形成されているシャフト部を備える
請求項１乃至７の何れか１項に記載のラケット。
【発明の詳細な説明】
【技術分野】
【０００１】
本発明は、ラケットに関する。
【背景技術】
【０００２】
従来のラケットにおいて、フェース部のスイートスポットを挟む両端部の表面に、純チタンのメッシュ片を一体的に取り付け、ラケットの振動減衰性を改善させたものが提案されている。また、フェース部の内部に発泡剤を設ける等してフェース部の断面形状を変え、剛性をコントロールする方法が提案されている。
【先行技術文献】
【特許文献】
【０００３】
【特許文献１】特開平１１−２９０４８４号公報
【特許文献２】特開２０１３−１７２９１５号公報
【発明の概要】
【発明が解決しようとする課題】
【０００４】
本発明は、剛性や振動減衰性等の機械特性を、部分的にコントロールしたラケットを提供することを目的とする。
【課題を解決するための手段】
【０００５】
本ラケットは、打撃面を囲むフェース部を備えるラケットであって、前記フェース部の少なくとも一部は、立体的な網目構造で形成されていることを要件とする。
【発明の効果】
【０００６】
開示の技術によれば、剛性や振動減衰性等の機械特性を、部分的にコントロールしたラケットを提供することができる。
【図面の簡単な説明】
【０００７】
【図１】第１の実施形態に係るテニスラケット１を例示する図である。
【図２】網目構造を例示する図であり、（ａ）は第１の例を示す図であり、（ｂ）は第２の例を示す図である。
【図３】テニスラケット１のストリング挿通部を例示する拡大斜視図であり、（ａ）は比較例に係るストリング挿通部を示す図であり、（ｂ）は第１の実施形態に係るテニスラケット１のストリング挿通部を例示する図である。
【図４】第１の実施形態に係るテニスラケット１の製造装置の構成の一例を説明する図である。
【図５】第１の実施形態に係るテニスラケット１の製造装置の動作の一例を示すフローチャートである。
【図６】テニスラケット２を例示する図である。
【図７】テニスラケット３を例示する図であり、（ａ）は正面図であり、（ｂ）は側面図である。
【図８】テニスラケット４を例示する図である。
【発明を実施するための形態】
【０００８】
以下、図面を参照して、実施形態の説明を行う。尚、各図面において、同一構成部分には同一符号を付し、重複した説明を省略する場合がある。
【０００９】
実施形態では、テニスラケットを一例として説明する。また以下に示すテニスラケットの図では、図の上側を上端側とし、下側を下端側とする。
【００１０】
［第１の実施形態］
＜テニスラケットの構成＞
図１は、第１の実施形態に係るテニスラケット１を例示する図であり、テニスラケット１の正面図である。テニスラケット１は、図１に示すように、フェース部１１と、シャフト部１２と、グリップ部１３とを含むフレーム１０を備えている。
【００１１】
フェース部１１は、テニスラケット１の上端側に設けられており、略楕円形状に形成されている。またフェース部１１には、フェース部１１の内周側と外周側を連通させるように、ストリングの挿通孔が設けられ、外周側から内周側等に向けてストリングを挿通させることができる。
【００１２】
フェース部１１の周方向に沿って、複数の挿通孔が並んで設けられ、ストリングが挿通孔間に張り渡されると、ストリングがフェース部１１の内周面側で格子状に交わる。このようにして、フェース部１１の内側に、フェース部１１で囲むように略楕円形の打撃面が形成される。尚、打撃面とはボールを打撃するための面である。
【００１３】
一方、シャフト部１２は、フェース部１１の下端側に延設され、フェース部１１とグリップ部１３を繋ぐ部分であり、グリップ部１３からフェース部１１に向けて二股に分岐するように形成されている。
【００１４】
またグリップ部１３は、テニスのプレイヤーが握り持つ部分であり、テニスラケット１の下端側に設けられている。グリップ部１３には、ボールを打撃した時の衝撃を吸収するとともに、グリップ力を向上させるグリップテープが巻回されている。
【００１５】
＜網目構造の構成＞
ここで、本実施形態に係るテニスラケット１のフェース部１１の一部に形成された立体的な網目構造について説明する。
【００１６】
フェース部１１には、打撃面を時計の文字板としてみた場合に、打撃面の平面中心１４に対してフェース部１１の１１時方向から１時方向までの範囲（矢印１１０ａで示す範囲）に、図１に斜線ハッチングで示すように網目構造部１１１ａが形成されている。この範囲を角度で示すと、フェース部１１の上端部を０度とした場合に、打撃面の平面中心１４に対してフェース部１１の−３０度以上で＋３０度以下の範囲である。尚、平面中心１４は、フェース部１１の打撃面を構成する平面内で中心となる位置である。
【００１７】
また同様に、打撃面の平面中心１４に対してフェース部１１の５時方向から７時方向までの範囲（矢印１１０ｂで示す範囲）に、図１に斜線ハッチングで示すように網目構造部１１１ｂが形成されている。この範囲を角度で示すと、打撃面の平面中心１４に対してフェース部１１の＋１５０度以上で＋２１０度以下の範囲である。
【００１８】
ここで、網目構造とは、網目状や格子状等の離散的な形状を有する立体構造をいう。図２は網目構造を例示する図である。図２（ａ）は第１の例を示す図であり、（ｂ）は第２の例を示す図である。網目構造では、網目が離散的に存在し、網目のない部分に空隙部分が存在する。網目構造は、格子構造やフラーレン構造等の規則的な構造であってもよいし、図２（ａ）及び（ｂ）に示すような規則性のない構造であってもよい。
【００１９】
本実施形態では、このように、フェース部１１に網目構造部１１１ａ及び１１１ｂを形成することで、網目構造部１１１ａ及び１１１ｂの機械特性を他の部分の機械特性に対して異ならせている。また網目の太さや空隙部分の大きさ等の網目構造の形状をコントロールすることで、網目構造部１１１ａ及び１１１ｂの機械特性をコントロールしている。
【００２０】
ここで、機械特性とは、材料が持つ連続体としての力学的特性の総称であり、テニスラケット等のラケットの剛性や振動減衰性、靱性、強度等を総称するものである。
【００２１】
例えば、網目構造の空隙部分を小さくして網目を細かくすると、密度が高くなり、網目構造部１１１ａを固くして剛性を上げることができる。また網目構造の空隙部分を大きくして網目を粗くすると、密度が低くなり、網目構造部１１１ａを柔らかくして靱性を上げたり、テニスラケット１の振動減衰性（振動吸収性）を向上させたりすることができる。さらに、網目構造により材料の量をコントロールできるため、剛性等の機械特性だけでなく、テニスラケット１の重量をコントロールすることも可能となる。
【００２２】
またフェース部１１のストリング挿通部を網目構造で形成することで、後述するように、ストリングの可動域を広くすることができる。一方で、テニスラケットのフェース部の１１時方向から１時方向までの範囲、及び５時方向から７時方向までの範囲は、ストリング可動域を広げた場合に、打撃時のボールのスピードアップに最も効果を発揮する部分である。
【００２３】
そこで、本実施形態では、テニスラケットのフェース部の１１時方向から１時方向までの範囲、及び５時方向から７時方向までの範囲を部分的に網目構造で形成している。そしてストリング１８の可動域を広くすることで、打撃面でボールを打撃した時の反発力を高め、ボールのスピードを向上させている。
【００２４】
尚、テニスラケット１を使用するユーザのスイングの仕方やヘッドスピード等の特徴に応じて、テニスラケット１に求められる機械特性が異なる場合があるため、求められる機械特性に応じて網目構造の形状を決定してもよい。
【００２５】
＜ストリング挿通部の構成＞
次に、テニスラケット１のストリング挿通部について、図３を参照して説明する。
【００２６】
図３は、テニスラケットのストリング挿通部を例示する拡大斜視図であり、（ａ）は比較例に係るストリング挿通部を示す図で、（ｂ）は本実施形態に係るテニスラケット１のストリング挿通部を例示する図である。
【００２７】
図３に示すように、フェース部１１には、山部１５と、谷部１６が形成され、谷部１６の部分に複数の挿通孔１７が周方向に沿って並んで設けられている。挿通孔１７にストリング１８が挿通され、打撃面にストリング１８による格子が形成されている。
【００２８】
図３（ａ）の比較例では、挿通孔１７にグロメット１９が挿入され、グロメット１９に形成された挿通孔にストリング１８が挿通されている。換言すると、ストリング１８はグロメット１９を介して挿通孔１７に挿通されている。
【００２９】
尚、グロメット１９は、貫通孔の形成された複数の突起部位が帯状部材に並べて設けられ、フェース部１１の外周側に形成された谷部１６に着脱可能に取り付けられる部材である。谷部１６に設けられた複数の挿通孔にグロメット１９の各突起部位を挿入し、また帯状部材を谷部１６に巻き付けて取り付けることで、フェース部の外周部及びストリング１８を保護する。
【００３０】
ここで、一例としてストリング１８の直径は１ｍｍ程度であり、挿通孔１７の直径は３ｍｍ程度である。挿通孔１７に対してストリング１８は細いため、グロメット１９を介さずに挿通孔１７にストリング１８を挿通させると、ボールの打撃等で挿通孔１７の内部でストリング１８が動いた時に、挿通孔１７に擦れて、ストリング１８が切れる場合がある。グロメット１９を介することで、ストリング１８の動きが抑制され、ストリング１８が切れる場合が抑制される。
【００３１】
一方、本実施形態では、フェース部１１におけるストリングの挿通孔１７を網目構造により形成している。具体的には、フェース部１１の挿通孔１７を設ける部分の周辺を、部分的に網目構造で形成し、網目構造が形成された部分に挿通孔１７を設けている。そして図３（ｂ）に示すように、グロメット１９を介さずに挿通孔１７に直接的にストリング１８を挿通させている。
【００３２】
挿通孔１７を設ける部分の周辺に設けた網目構造部のストリング接触部の形状をなめらかにすることで、グロメット１９を設けなくても、挿通孔１７に擦れてストリング１８が切れることを抑制している。またグロメット１９を設けない分、テニスラケット１を軽量化している。
【００３３】
さらに、グロメット１９を設けると、図３（ａ）に示すようにフェース部１１の内周側にグロメット１９の突出部が形成される。また挿通孔１７とストリング１８の間の余白がグロメット１９で埋められるため、ストリング１８の動きが抑制される。
【００３４】
これに対し、本実施形態では、グロメット１９を設けないため、グロメット１９による上記のような突出部をなくすことができ、またストリング１８の動きをグロメット１９で抑制されないようにすることができる。これによりストリング１８の可動域を広くすることができ、可動域が広げられることで、打撃面でボールを打撃した時の反発力を高め、ボールのスピードを向上させることができる。
【００３５】
さらに、後述するように、本実施形態ではテニスラケット１を３次元造形法により製造するため、テニスラケット１の造形時に挿通孔１７を形成することができる。従って、テニスラケットの形成後に挿通孔１７を追加工しなくてよいため、挿通孔１７を追加工することに起因にするテニスラケットの耐久性の低下等を防ぐことができる。
【００３６】
尚、上述では、フェース部１１の挿通孔１７を設ける部分の周辺を網目構造で形成し、この網目構造の部分に挿通孔１７が設ける例を示したが、網目構造には空隙部分が含まれるため、この網目構造の空隙部分にストリング１８を挿通させるようにしてもよい。つまり挿通孔１７を設けずに、網目構造の空隙部分を利用して、フェース部１１にストリング１８を張設する。
【００３７】
挿通孔１７を設けないため、挿通孔１７を設けることに起因にするテニスラケットの耐久性の低下等を防ぐことができる。また網目構造には空隙部分が多数存在するため、ストリング１８を挿通させる箇所を任意に変えることができ、ストリング１８の張設のバリエーションを増やすことができる。
【００３８】
尚、フェース部の挿通孔を設ける部分の周辺に形成された網目構造の部分に設けられた挿通孔は、「フェース部に網目構造によって形成された挿通孔」の一例である。また、ストリングの挿通孔として機能する網目構造の空隙部分も、「フェース部に網目構造によって形成された挿通孔」の一例である。
【００３９】
＜テニスラケットの製造装置の構成＞
次に、実施形態に係るテニスラケット１の製造方法について説明する。
【００４０】
本実施形態では、テニスラケット１のフレーム１０（フェース部１１、シャフト部１２、グリップ部１３）の材質として、カーボン繊維を強化繊維とした光硬化性の繊維強化樹脂を使用する。そして、光の照射により液状の光硬化性の繊維強化樹脂（以下、光硬化性樹脂液という）を選択的に硬化させて立体構造物を造形する、いわゆる光造形法によって、テニスラケット１を製造する。
【００４１】
図４は、本実施形態に係るテニスラケット１の製造装置１００の構成の一例を説明する図である。製造装置１００は、光造形法による３次元造形装置（３次元プリンタ）であり、造形データ生成部１２０と、制御部１２１と、造形部２００と、光照射部３００とを備えている。造形データ生成部１２０及び制御部１２１は、造形データを生成するためのアプリケーションプログラムをＰＣ（Personal Computer）にインストールすることで、実現することができる。
【００４２】
造形データ生成部１２０は、造形対象のテニスラケット１の元となる造形データを生成する。造形データを生成する処理は、オペレータがＰＣに対して行う入力及び操作に応じて、ＰＣが備えるＣＰＵ（Central Processing Unit）、ＲＯＭ（Read Only Memory）及びＲＡＭ（Random Access Memory）等のハードウェア資源と、ＯＳ（Operating System）プログラム及びアプリケーションプログラム等のソフトウェア資源が協働することにより実現される。
【００４３】
本実施形態に係る造形データは、造形対象となるテニスラケット１のモデルがスライスされたデータである。スライスされたデータ毎に形成される層を積層することで、テニスラケット１が造形される。
【００４４】
網目構造部１１１ａ及び１１１ｂの造形データは、テニスラケット１に求められる機械特性に応じて網目構造の形状が決定され、決定された形状を実現するための造形データとして生成される。
【００４５】
そしてテニスラケット１の所望の位置（図１参照）に網目構造部１１１ａ及び１１１ｂが形成されるように、テニスラケット１の造形データに、網目構造部１１１ａ及び１１１ｂの造形データが組み入れられる。
【００４６】
機械特性に応じた網目構造の形状は、シミュレーションや実験等で、網目構造の形状と機械特性との対応関係を示すデータを予め取得しておき、要求される機械特性に応じてこのデータを参照して決定することができる。
【００４７】
尚、テニスラケット１の造形データを生成する処理は、製造装置１００の他に設けられたＰＣを用いて実行し、その実行結果である造形データを造形データ生成部１２０に入力するようにしてもよい。
【００４８】
制御部１２１は、生成された造形データを入力し、造形部２００及び光照射部３００の動作を制御する。制御部１２１による制御に応じて、造形部２００は造形処理を実行し、光照射部３００は光照射処理を実行する。
【００４９】
一方、造形部２００は、容器２０１と、造形台２０２と、造形台駆動部２０３とを備えている。
【００５０】
容器２０１は、光硬化性樹脂液２０４を収容する容器である。造形台２０２は、光硬化性樹脂液２０４を光照射により硬化させた硬化層２０５を順次積層するための平板状の台である。造形台２０２は、造形台駆動部２０３によって駆動され、容器２０１内において昇降する。
【００５１】
造形台駆動部２０３は、制御部１２１により入力される制御信号に基づいて造形台２０２を昇降させることで、次に光照射して硬化させる一層分の光硬化性樹脂液２０４を、先に硬化させた硬化層２０５の層上に準備する。
【００５２】
光照射部３００は、レーザ光線を射出するレーザ光源３０１と、レーザ光線の照射をオン、又は／及びオフするシャッター３０２と、レーザ光線を光硬化性樹脂液２０４の面で走査させる光走査部３０３とを備えている。尚、光照射部３００は、レーザ光源３０１と、シャッター３０２と、光走査部３０３をそれぞれ複数備えていてもよい。
【００５３】
制御部１２１より入力される制御信号に基づいて、光照射部３００は、シャッター３０２と光走査部３０３とを駆動させ、所定の強度のレーザ光線を容器２０１内の光硬化性樹脂液２０４の液面に照射する。そして光硬化性樹脂液２０４の液面上でレーザ光線を走査させ、レーザ光線の走査面内で光硬化性樹脂液２０４を選択的に硬化させる。
【００５４】
レーザ光源３０１は、紫外線のレーザ光を射出する固体レーザや半導体レーザ等である。シャッター３０２は、レーザ光源３０１からのレーザ光線を透過又は遮断するための音響光学素子等を備えている。また光走査装置４０２は、光線の方向を任意の方向に変動させるガルバノミラー等を備えている。
【００５５】
＜テニスラケットの製造装置の動作＞
次に、テニスラケットの製造装置１００による３次元造形の動作について説明する。図５は、製造装置１００の動作の一例を示すフローチャートである。
【００５６】
先ず、ステップＳ５１において、オペレータは容器２０１に光硬化性樹脂液２０４を収容する。但し、光硬化性樹脂液２０４の供給部を設けて、制御部１２１の制御下で、供給部が容器２０１に光硬化性樹脂液２０４を収容するようにしてもよい。
【００５７】
続いて、ステップＳ５２において、制御部１２１は、造形台２０２を光硬化性樹脂液２０４の表面から例えば０．０５〜０．２ｍｍの深さの位置（初期位置）に降下させる。
【００５８】
続いて、ステップＳ５３において、制御部１２１は、レーザ光源３０１から射出されたレーザ光線３０４を、光走査部３０３により光硬化性樹脂液２０４の表面に照射して走査させる。
【００５９】
これにより、ステップＳ５４において、光硬化性樹脂液２０４の表面層の光硬化性樹脂液２０４が選択的に硬化し、光硬化性樹脂液２０４の表面層に硬化層２０５が形成される。
【００６０】
続いて、ステップＳ５５において、制御部１２１は、造形台２０２を、テニスラケット１のモデルをスライスした一層分に該当する深さ、例えば０．０５〜０．２ｍｍだけ降下させる。
【００６１】
続いて、ステップＳ５６において、制御部１２１は、全ての硬化層を形成したかを判断する。
【００６２】
ステップＳ５６において、制御部１２１が全ての硬化層を形成していないと判断した場合（ステップＳ５６、Ｎｏ）、ステップＳ５３に戻り、形成された硬化層の上の表面層でレーザ光線を走査させて、次の硬化層を形成する。このような動作が全ての硬化層が形成されるまで継続される。
【００６３】
一方、ステップＳ５６において、制御部１２１が全ての硬化層を形成したと判断した場合（ステップＳ５６、Ｙｅｓ）、ステップＳ５７において、制御部１２１は、造形されたテニスラケット造形物２０６の取り出し位置まで造形台２０２を上昇させる。
【００６４】
続いて、ステップＳ５８において、オペレータは、造形台２０２上に造形されたテニスラケット造形物２０６を取り出す。但し、テニスラケット造形物２０６のハンドリング部を設けて、制御部１２１の制御下で、ハンドリング部が造形台２０２からテニスラケット造形物２０６を取り出すようにしてもよい。
【００６５】
続いて、ステップＳ５９において、造形されたテニスラケット造形物２０６に対して後処理を実行する。後処理は、テニスラケット造形物２０６の表面に付着した光硬化性樹脂液２０４を洗浄その他の方法で除去する処理や、紫外線ランプ等により紫外線を照射して、光硬化を更に進行させる処理等である。
【００６６】
このようにして、製造装置１００は、フェース部１１に網目構造部１１１ａ及び１１１ｂが形成されたテニスラケット１を製造することができる。尚、グリップテープは、テニスラケット１の造形後にグリップ部１３に巻回されて取り付けられる。
【００６７】
上述では、フレーム１０の材質にカーボン繊維を強化繊維とした光硬化性の繊維強化樹脂を用い、光造形法により、テニスラケット１を製造する例を示したが、これに限定されるものではない。ガラス繊維や有機繊維、セラミック繊維、金属繊維等を強化繊維として用いてもよいし、熱硬化性の繊維強化樹脂を用いてもよい。
【００６８】
また３次元造形方式として、熱溶解積層法（Fused Deposition Modeling；FDM）や粉末焼結積層造形法（Selective Laser Sintering；SLS、Selective Laser Melting；SLM）、インクジェット法等を用いてもよい。
【００６９】
さらに実施形態に係る製造装置１００では、光走査部３０３によるレーザ光線の走査で２次元的な硬化層２０５を形成し、造形台駆動部２０３により深さ方向に積層する例を示したが、これに限定されるものではない。多光子吸収現象等を利用して光硬化性樹脂液２０４を深さ方向においても選択的に硬化させることで、３次元的なレーザ光線の走査により光造形を行ってもよい。３次元的なレーザ光線の走査により、光造形をより高速に行うことが可能となる。
【００７０】
以上説明してきたように、本実施形態に係るテニスラケット１は、フェース部１１の少なくとも一部が立体的な網目構造で形成されている。これにより剛性や振動の減衰性等の機械特性を他の部分と異ならせ、機械特性を部分的にコントロールしたテニスラケットを提供することができる。
【００７１】
また本実施形態に係るテニスラケット１は、フェース部１１の打撃面を時計の文字板としてみた場合に、打撃面の平面中心に対して、フェース部１１の１１時方向から１時方向までの範囲、及び５時方向から７時方向までの範囲に、部分的に網目構造が形成されている。
【００７２】
ストリング可動域を広げた場合に、打撃時のボールのスピードアップに最も効果を発揮する範囲を網目構造で形成してストリング１８の可動域が広くすることで、打撃面でボールを打撃した時の反発力を高め、ボールのスピードを向上させることができる。
【００７３】
一方、本実施形態に係るテニスラケット１では、ストリング１８は、網目構造により形成された挿通孔に挿通され、そして網目構造部の機械特性を柔らかくしている。これによりグロメット１９を設けなくても、挿通孔１７に擦れてストリング１８が切れることを抑制し、グロメット１９を設けない分、テニスラケット１を軽量化することができる。
【００７４】
またグロメット１９を設けないことで、ストリング１８の可動域を広くすることができ、ストリング１８による格子で形成される打撃面でボールを打撃した時の反発力を高め、ボールのスピードを向上させることができる。
【００７５】
さらに、本実施形態では、ストリング１８の挿通孔１７を３次元造形により形成するため、テニスラケットの形成後に挿通孔１７を追加工しなくてもよく、挿通孔１７を追加工することに起因にするテニスラケットの耐久性の低下等を防ぐことができる。
【００７６】
尚、本実施形態では、テニスラケット１の一部に形成した網目構造部１１１ａ及び１１１ｂの機械特性を、他の部分の機械特性に対して異ならせる例を示したが、これに限定されるものではない。テニスラケット１に、機械特性の異なる複数の網目構造部を形成することで、テニスラケット１の機械特性を部分的にコントロールするようにしてもよい。
【００７７】
＜第１の実施形態の変形例＞
第１の実施形態の変形例では、網目構造の形成された部分が異なるラケットの例を示す。尚、第１の実施の形態の変形例において、既に説明した実施の形態と同一構成部についての説明は省略する場合がある。
【００７８】
（変形例１）
図６は、変形例１に係るテニスラケット２を例示する図であり、テニスラケット２の正面図である。
【００７９】
テニスラケット２のフェース部２１では、フェース部２１の打撃面を時計の文字板としてみた場合に、打撃面の平面中心２５に対してフェース部２１の２時方向から４時方向までの範囲（矢印２１０ａで示す範囲）に、斜線ハッチングで示すように網目構造部２１１ａが形成されている。この範囲を角度で示すと、フェース部２１の上端部分を０度とした場合に、打撃面の平面中心２５に対してフェース部２１の＋６０度以上で＋１２０度以下の範囲である。
【００８０】
同様に、打撃面の平面中心２５に対してフェース部２１の８時方向から１０時方向までの範囲（矢印２１０ｂで示す範囲）に、斜線ハッチングで示すように網目構造部２１１ｂが形成されている。この範囲を角度で示すと、打撃面の平面中心２５に対してフェース部２１の＋２４０度以上で＋３００度以下の範囲である。
【００８１】
網目構造部２１１ａ及び２１１ｂは、それぞれテニスラケット２の他の部分に対し、柔らかい機械特性が得られる形状で形成されている。
【００８２】
フェース部２１の２時方向から４時方向までの範囲の部分と、フェース部の８時方向から１０時方向までの範囲の部分を柔らかくすることで、ボールを打撃した時にフェース部２１がたわみやすくなる。そしてたわんだ状態からの復元力が、打撃されたボールに伝達されることで、ボールを飛びやすくすることができる。
【００８３】
（変形例２）
図７は、変形例２に係るテニスラケット３を例示する図であり、（ａ）は正面図であり、（ｂ）は側面図である。
【００８４】
テニスラケット３では、図７（ｂ）に示すように、フェース部３１の内部において、フェース部３１の厚み方向の中心部に、網目構造部３１１が形成されている。このようにフェース部３１の表面ではなく、フェース部３１の内部に網目構造を形成することによっても、テニスラケット３の機械特性を部分的にコントロールすることができ、またストリング長さを長くとることでストリングの可動域を広くすることができるため、反発にも寄与することができる。
【００８５】
（変形例３）
図８は、変形例３に係るテニスラケット４を例示する図であり、テニスラケット４の正面図である。
【００８６】
テニスラケット４では、図８に示すように、シャフト部４２に部分的に網目構造部４１１が形成されている。このようにシャフト部４２に網目構造を形成することにより、シャフト部４２の機械特性をコントロールでき、またテニスラケット４の全体の重量をコントロールすることもできる。さらに、網目構造の空隙部を利用することで、ストリングを張設する領域をシャフト部４２まで拡張することができる。
【００８７】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００８８】
尚、実施形態では、テニスラケットのフェース部において、網目構造部を形成する範囲を特定する例を示したが、フェース部の全体の体積に対する網目構造部の体積の割合を特定するようにしてもよい。
【００８９】
具体的には、第１の実施形態における網目構造部１１１ａ及び１１１ｂの体積は、フェース部１１の全体の体積に対して２０％以上である。また第１の実施形態の変形例１における網目構造部２１１ａ及び２１１ｂの体積は、フェース部２１の全体の体積に対して２０％以上である。
【００９０】
このようにフェース部の全体の体積に対して２０％以上の範囲で網目構造を形成することで、第１の実施形態及び変形例１において説明したものと同様の効果を得ることができる。
【００９１】
また、実施形態ではラケットの一例として、テニスラケットについて説明したが、実施形態は、硬式テニス用のラケット、及び軟式（ソフト）テニス用のラケットに適用可能である。また、スカッシュ用のラケットやバドミントン用のラケットに対しても適用することができる。
【符号の説明】
【００９２】
１、２、３、４          テニスラケット
１０、２０、３０、４０  フレーム
１１、２１、３１、４１  フェース部
１２、２２、３２、４２  シャフト部
１３、２３、３３、４３  グリップ部
１４、２４、３４、４４  打撃面の平面中心
１５                    山部
１６                    谷部
１７                    挿通孔
１８                    ストリング
１９                    グロメット
１１１ａ、１１１ｂ、２１１ａ、２１１ｂ、３１１、４１１  網目構造部
１００                  製造装置
１２０                  造形データ生成部
１２１                  制御部
２００                  造形部
２０１                  容器
２０２                  造形台
２０３                  造形台駆動部
２０４                  光硬化性樹脂液
２０５                  硬化層
２０６                  テニスラケット造形物
３００                  光照射部
３０１                  レーザ光源
３０２                  シャッター
３０３                  光走査部
３０４                  レーザ光線
【図１】
2020074812.tif 000003
【図２】
2020074812.tif 000004
【図３】
2020074812.tif 000005
【図４】
2020074812.tif 000006
【図５】
2020074812.tif 000007
【図６】
2020074812.tif 000008
【図７】
2020074812.tif 000009
【図８】
2020074812.tif 000010